(57)【要約】【課題】  映像信号の入力先を簡単に、また確実に切替える。【解決手段】  表示部６に複数入力端子Ｉ１〜Ｉ４のそれぞれについて、当該端子に供給される映像信号の種類を示すアイコンが表示されて、ユーザがリモコン２０を操作して所望映像信号の種類を示すアイコンを選択すると、選択されたアイコンに対応の入力端子に供給される所望種類の映像信号による映像が表示部６に表示される。そのような場合において、表示部６におけるアイコンの並びは、ユーザがリモコン２０を操作して指示することで変更される。また、アイコンにより入力端子形状も示されるので、当該アイコンで示される種類の映像信号を供給する機器は、いずれの形状の入力端子に接続すればよいかを速やかに確認できる。【選択図】        図１
2006203356.tif 000002
【特許請求の範囲】
【請求項１】
複数の入力端子と、前記複数の入力端子のそれぞれに供給される映像信号のうちから、所望の前記映像信号を入力するように選択的に切替える入力切替え装置とを備えるテレビジョン装置であって、
前記入力切替え装置は、
表示部と、
各前記入力端子について、当該入力端子に供給される映像信号の種類を示すアイコンを前記表示部に表示するアイコン表示手段と、
前記アイコン表示手段により表示された前記アイコンのうち、外部からの指示に基づき選択されたアイコンに対応する前記入力端子に供給されている前記映像信号を入力する選択入力手段と、
前記選択入力手段により入力した前記映像信号を処理し、処理した前記映像信号に基づく映像を前記表示部に表示する映像表示手段とをさらに有し、
前記アイコン表示手段は、
外部からの操作指示に基づき前記表示部に表示される前記アイコンを並替える並替え手段を含み、
前記アイコンは、前記映像信号の種類とともに、対応の前記入力端子の形状も示し、
外部から入力切替指示を入力する毎に、複数の前記入力端子についての前記アイコンを、順次に切替えて前記表示部に表示する、テレビジョン装置。
【請求項２】
複数の入力端子のそれぞれに供給される映像信号のうちから、所望の前記映像信号を入力するように選択的に切替える入力切替え装置であって、
表示部と、
各前記入力端子について、当該入力端子に供給される映像信号の種類を示すアイコンを前記表示部に表示するアイコン表示手段と、
前記アイコン表示手段により表示された前記アイコンのうち、外部からの指示に基づき選択されたアイコンに対応する前記入力端子に供給されている前記映像信号を入力する選択入力手段と、
前記選択入力手段により入力した前記映像信号を処理し、処理した前記映像信号に基づく映像を前記表示部に表示する映像表示手段とをさらに有し、
前記アイコン表示手段は、
外部からの操作指示に基づき前記表示部に表示される前記アイコンを並替える並替え手段を含む、入力切替え装置。
【請求項３】
前記アイコンは、前記映像信号の種類とともに、対応の前記入力端子の形状も示す、請求項２に記載の入力切替え装置。
【請求項４】
外部から入力切替指示を入力する毎に、複数の前記入力端子についての前記アイコンを、順次に切替えて前記表示部に表示する、請求項３に記載の入力切替え装置。
【請求項５】
前記入力切替え装置は、テレビジョン装置に設けられる、請求項２から４のいずれか１項に記載の入力切替え装置。
【発明の詳細な説明】
【技術分野】
【０００１】
この発明は入力切替え装置およびテレビジョン装置に関し、特に、受信機回路を有して受信した映像信号の表示部を利用した、映像信号の入力切替え機能を提供する入力切替え装置およびテレビジョン装置に関する。
【背景技術】
【０００２】
デジタルテレビジョンでは、図７に示すように、リモコン（リモートコントローラの略）や本体にある入力切替キーが押されると、画面上には選択されている入力名が文字で表示されるが、入力名称だけでは、デジタルテレビにＡＶ（Audio Visual）機器が複数台接続され得る場合には、それぞれのＡＶ機器がどの入力に対応しているのかがわかりにくい。また、入力名称の表示だけでは、端子の名前を知らないユーザには他のＡＶ機器と接続する際にどの端子と接続すればよいかわかりにくい。
【０００３】
また、デジタルテレビジョンへの入力切替操作に際して、老人または子供のように操作に不慣れな人は、入力機器名での選択よりも、どの機器から、すなわち部屋にレイアウトされた機器のうちのいずれに切替えるかの選択の方がわかりやすいという要望があった。
【０００４】
このような背景の下、特許文献１では、入力端子に接続されている外部機器の接続状態を確認しやすくするとともに、リモコンなどの操作を簡単にする機能が提供された。
【０００５】
また特許文献２では複数の外部入力端子に接続されているＡＶ機器の接続状況を検出し、ＡＶ機器の有無によりオンスクリーン表示方法を変化させ、カーソル移動によりＡＶ機器の入力切替を行なうことにより容易に目的の機器への切替を可能とする機能が提供された。
【０００６】
また、特許文献３では、外部端子の接続情報判別部を備えて、リモコン信号によってオンスクリーン表示を行なうことにより接続端子の接続状態を容易に確認可能とする機能が提供されている。
【０００７】
また、特許文献４では、接続された映像表示装置の画面に外部入力が切替わったことを示す文字、図形またはシンボルを均一色背景上に表示させるオンスクリーン・ディスプレイ制御部が示されている。
【特許文献１】特開２００１−３０９２４９号公報
【特許文献２】特開平１０−３０４２６０号公報
【特許文献３】特開平０３−５８６８１号公報
【特許文献４】登録実用新案第３０５０２０５号公報
【発明の開示】
【発明が解決しようとする課題】
【０００８】
特許文献１では、接続機器の入力端子名称をオンスクリーン表示に合せて使用者が設定可能とし、また接続機器を一覧表示しているけれども、室内のＡＶ機器のレイアウトに合せて入力機器を一覧表示するものではないから、上述した操作に不慣れな人の要望に応えることはできなかった。
【０００９】
また、特許文献２では、ＴＶ受像機とＡＶ機器の接続の有無を、表示色を変更して示す、すなわち接続されているＡＶ機器の名称と未接続のＡＶ機器の名称とは違う色で表示するようにしているに過ぎないので、やはり上述した機器に不慣れな人の要望に応えることができていない。
【００１０】
また、特許文献３では、ＴＶ受像機の接続端子の接続状態および各スイッチ類の極性などが一覧表示されるけれども、やはり接続される外部機器の室内のレイアウトに合った接続状態表示ではないので、上述した操作に不慣れな人の要望に応えることができなかった。
【００１１】
また、特許文献４では、外部入力の切替状況を文字、図形などでオンスクリーン表示して報知しているに過ぎず、やはり、上述したＡＶ機器のレイアウトに準じた状態表示ではないから、操作に不慣れな人の要望に応えることはできなかった。
【００１２】
それゆえにこの発明の目的は、映像信号の入力先を簡単に、また確実に切替えることが可能な入力切替え装置およびテレビジョン装置を提供することである。
【課題を解決するための手段】
【００１３】
この発明のある局面に従う入力切替え装置は、複数の入力端子のそれぞれに供給される映像信号のうちから、所望の映像信号を入力するように選択的に切替える入力切替え装置であって、表示部と、各入力端子について、当該入力端子に供給される映像信号の種類を示すアイコンを前記表示部に表示するアイコン表示手段と、アイコン表示手段により表示されたアイコンのうち、外部からの指示に基づき選択されたアイコンに対応する入力端子に供給されている映像信号を入力する選択入力手段と、選択入力手段により入力した映像信号を処理し、処理した映像信号に基づく映像を表示部に表示する映像表示手段とをさらに有し、アイコン表示手段は、外部からの操作指示に基づき表示部に表示されるアイコンを並替える並替え手段を含む。
【００１４】
この発明の他の局面に従うと、アイコンは、映像信号の種類とともに、対応の入力端子の形状も示す。
【発明の効果】
【００１５】
発明によれば、表示部に複数入力端子のそれぞれについて、当該端子に供給される映像信号の種類を示すアイコンが表示されて、ユーザが外部から所望映像信号の種類を示すアイコンを選択すると、選択されたアイコンに対応の入力端子に供給される所望種類の映像信号による映像が表示される。そのような場合において、表示部におけるアイコンの並びは、ユーザが外部から操作することで所望するように変更できる。
【００１６】
それゆえに、アイコンの並びを、各アイコンが示す種類の映像信号を供給している外部のＡＶ機器のレイアウトに一致するように変更できるから、レイアウトされたＡＶ機器のうちから映像信号の入力先の切替えをするような感覚で、アイコン選択による入力先の切替えができて、操作性に優れる。したがって、老人や子供など操作に不慣れなユーザであっても、レイアウトされたＡＶ機器から所望の機器を選択するのと同じ感覚で、表示部に表示されたアイコンを選択するだけで、入力先を所望種類の映像信号となるように切替えることができる。
【００１７】
また、アイコンにより入力端子形状も示されるので、当該アイコンで示される種類の映像信号を供給する機器は、いずれの形状の入力端子に接続すればよいかを速やかに確認できる。このことから、機器と入力端子の対応付けを知らないユーザであっても、誤接続することなく、各入力端子に適する機器を接続することができる。
【発明を実施するための最良の形態】
【００１８】
以下、この発明の実施の形態について図面を参照し説明する。ここでは、デジタルＴＶ（Television）受像機に外部のＡＶ機器が接続されて、接続された外部のＡＶ機器から供給される映像情報に基づく映像を、デジタルＴＶ受像機にて表示するシステムを例示するが、表示先の機器はデジタルＴＶ受像機に限定されるものではない。
【００１９】
図１は、本実施の形態に係るシステムの構成を示し、図２は外部のＡＶ機器の接続状態を表示するために参照されるテーブルを示し、図３と図４には、処理手順をフローチャートにして示す。また、図５（Ａ）〜（Ｃ）と図６には外部のＡＶ機器の接続状態の一表示例が示される。
【００２０】
本実施の形態では、デジタルＴＶ受像機３０に、複数種類のＡＶ機器が接続され得る。ここでは複数のＡＶ機器として、ゲーム機１２、ならびにＡＶラック１５に収容されたＤＶＤ装置９、ＤＶＩ（Digital Visual Interface）装置１０およびビデオテープ装置１１がＡＶ機器として例示されている。デジタルＴＶ受像機３０に接続されてＡＶ信号を供給してデジタルＴＶ受像機３０を介して出力する外部のＡＶ機器は、これらに限定されず、たとえばＴＶ信号の受信のためのアンテナが含まれるようにしてもよい。
【００２１】
本実施の形態では、ＡＶ機器のレイアウトに従いデジタルＴＶ受像機３０の画面にＡＶ機器の接続状態が表示される。たとえば、図５（Ａ）に示すように、デジタルＴＶ受像機３０に向かって右側のＡＶラック１５に収容されたＡＶ機器は、図５（Ｂ）では画面の右側にＡＶラック１５に収容された順に従い（レイアウトに従い）そのＡＶ機器の入力名称と入力端子の絵柄との組合せによるアイコン９Ａ〜１１Ａが表示される。また図５（Ａ）でゲーム機１２はデジタルＴＶ受像機３０に向かって左側の下にレイアウトされているので、図５（Ｂ）では画面の左下側に、そのＡＶ機器の入力名称と入力端子の絵柄との組合せによるアイコン１２Ａが表示されている。ここでは、ＡＶラック１５に収容されたＤＶＤ装置９、ＤＶＩ装置１０およびビデオテープ装置１１とゲーム機１２のそれぞれは入力端子Ｉ１〜Ｉ４のそれぞれに接続されていると想定する。各アイコンの絵柄で形状が示される入力端子は、デジタルＴＶ受像機３０の背面パネルまたは前面パネル等に予め設けられている端子であって外部ＡＶ機器をからの映像信号などを入力するための端子を指している。
【００２２】
図５（Ｂ）のアイコン９Ａ、１０Ａ、１１Ａおよび１２Ａは、入力切替のために選択的に操作されて、操作されたアイコンに対応のＡＶ機器に入力が切替えられるので、次のような特徴が得られる。つまり、デジタルＴＶ受像機３０に所望ＡＶ機器の映像を表示させる場合、ユーザがリモコンなどに設けられた入力切替キーを押して当該ＡＶ機器に対応する入力に切替えなければならない。その操作の際には、どの入力に切替えれば所望ＡＶ機器の映像が表示できるのかわかりにくいけれども、図５（Ｂ）のような表示により、ＡＶ機器のレイアウト（配置）とアイコンの並びとが一致しているので、確かな切替え操作を速やかに行なうことができる。
【００２３】
図１を参照してデジタルＴＶ受像機３０は、遠隔操作のためのリモコン２０により操作される。デジタルＴＶ受像機３０は、図示のないアンテナから受信したＴＶ信号を入力してチューニング処理する受信部１４、映像処理部１、各部を制御するためのマイクロコンピュータ３、後述のテーブル５を含む各種データを格納するメモリ４、ＣＲＴや液晶などからなる表示部６、デジタルＴＶ受像機３０の前面に設けられた操作パネルなどの入力部７、リモコン２０からの信号を受信して復調などし、マイクロコンピュータ３に出力するリモコン制御部８および入力端子Ｉ１〜Ｉ４を有する。
【００２４】
入力端子Ｉ１〜Ｉ４それぞれは、デジタルＴＶ受像機３０に外部のＡＶ機器を接続するためのターミナルである。入力端子Ｉ１〜Ｉ４は、それぞれ独自の形状を有する。
【００２５】
映像処理部１は、入力切替部１ＡとＯＳＤ（On Screen Display）回路２を有する。ＯＳＤ回路２は、表示部６に表示される映像に、マイクロコンピュータ３から与えられる情報に基づく画像をオンスクリーン表示する。映像処理部１は、受信部１４から出力されたＴＶ信号または入力切替部１Ａを介して与えられる映像信号を入力して処理し、処理した映像信号に基づく映像を表示部６に表示する。
【００２６】
入力切替部１Ａは、マイクロコンピュータ３の制御に従い、映像処理部１に信号を入力する側を、端子Ｉ１〜Ｉ４および受信部１４のうちのいずれかに切替えるように動作する。ここでは標準（デフォルト）では、入力側は受信部１４に設定されると想定する。
【００２７】
リモコン２０の操作パネルにおいては、デジタルＴＶ受像機３０の電源をＯＮ／ＯＦＦするための電源キー２１、入力切替キー２２、チャンネルなどの切替のために操作されるキー部２３、操作内容を決定するために操作される決定キー２４、表示部６上に表示されるカーソルを移動させるためなどに操作されるカーソルキー２５、並替えキー２６、モード切替キー２７および液晶などの表示部２８を備える。
【００２８】
並替えキー２６は、図５（Ｂ）に示したＡＶ機器のアイコンを並替えるために操作される。
【００２９】
入力切替キー２２は、デジタルＴＶ受像機３０（映像処理部１）へ入力する信号を切替えるために操作される。ここでは、デジタルＴＶ受像機３０への入力信号として受信部１４からのＴＶ信号および入力端子Ｉ１〜Ｉ４からの入力信号が候補となり、これらの入力信号の候補のうちから１つの信号に選択的に切替えるために入力切替キー２２が操作される。たとえば、デフォルトの入力状態となっていると想定すると、入力切替キー２２を操作する毎に、入力端子Ｉ１の信号→入力端子Ｉ２の信号→入力端子Ｉ３の信号→入力端子Ｉ４の信号→ＴＶ信号→入力端子Ｉ１の信号、…というように、外部からの信号入力先を順次切替えることができる。
【００３０】
リモコン２０の操作による指示内容を示す操作信号は、赤外線変調されてデジタルＴＶ受像機３０に送信されるので、リモコン制御部８はこの変調信号を受信すると復調して、マイクロコンピュータ３に出力する。
【００３１】
マイクロコンピュータ３は入力した操作信号に基づき他の各部を制御する。たとえば、入力切替の操作信号である場合には、現在の信号の入力先を次位の入力先、たとえば現在がＴＶ信号であれば入力端子Ｉ１の信号へ、現在の入力先が入力端子Ｉ１の信号であれば、入力端子Ｉ２の信号へと切替える。この次位の入力先への切替のためのデータ（現在の入力先を示すデータと切替順番に関するデータ）は、マイクロコンピュータ３内の図示のないメモリに予め格納されており、このデータを参照することにより切替がされると想定する。
【００３２】
図２のテーブル５の情報は、図５（Ｂ）のように表示するために、および入力先を切替えるために、マイクロコンピュータ３により参照される情報を示す。テーブル５には、デジタルＴＶ受像機３０の入力端子５１（入力端子Ｉ１〜Ｉ４）のそれぞれに対応して、入力名データ５２、当該入力端子の形状の絵柄を表示するための端子形状データ５３およびアイコンの表示部６における表示位置を示す表示位置データ５４を含む。入力名データ５２が示す入力名により、当該入力端子５１に供給される映像信号の種類名（component、DVI、VIDEOなど）が指示される。各ＡＶ機器から異なる種類の映像信号が供給される場合には、この映像信号の種類名で対応のＡＶ機器の種類が示され得る。ここでは受信部１４はデフォルトの入力先であるためにテーブルには登録されていないと想定する。
【００３３】
各入力端子５１のアイコンは、ＯＳＤ回路２により図５（Ｂ）のように表示される。具体的には、マイクロコンピュータ３は、各入力端子５１について、対応の入力名データ５２と端子形状データ５３に基づいて画像データを生成し、生成した画像データを対応の表示位置データ５４と共にＯＳＤ回路２に与えることにより、ＯＳＤ回路２は与えられたアイコンの画像データに従うアイコンを、共に与えられた表示位置データ５４で示される表示部６の位置に表示する。
【００３４】
ここでは、アイコンの画像データはテーブル５の内容に基づき生成するとしたが、テーブル５に各入力端子５１に対応してアイコンの画像データが格納されるようにして、アイコン表示には、テーブル５から当該画像データを読出すようにしてもよい。また、図５（Ｂ）のアイコンでは、端子の形状の絵柄も表示しているが、端子形状の絵柄は表示されないアイコンとしてもよい。
【００３５】
ここで、ＡＶ機器のレイアウトに従い表示部６におけるアイコンを並替える手順について図３のフローチャートに従い説明する。ここでは、ＡＶ機器は図５（Ａ）の状態でレイアウトされており、ＤＶＤ装置９、ＤＶＩ装置１０、ビデオテープ装置１１およびゲーム機１２のそれぞれは端子Ｉ１〜Ｉ４のそれぞれに接続されていると想定する。なお、説明を簡単にするためにアンテナの入力切替については説明を省略する。
【００３６】
テーブル５には、初期状態として（工場出荷時の状態として）のデータが予め格納されていると想定する。この初期状態のテーブル５のデータに基づく表示部６におけるアイコンの表示例が図５（Ｃ）に示される。
【００３７】
図３を参照して、図５（Ｃ）の初期状態の並びから、室内のＡＶ機器のレイアウト通りのアイコンの並びへの変更（並替え）を希望したユーザは、モード切替キー２７を操作して並替えモードに切替えるので、応じて並替え要求の操作信号がリモコン２０から送信される。リモコン制御部８は当該操作信号を受信して復調し、マイクロコンピュータ３に与える。
【００３８】
マイクロコンピュータ３は受信した操作信号が示す並替え要求に基づき、並替え要求ありと判別する（ステップＳ（以下、単にＳと略す）３）。
【００３９】
そして、マイクロコンピュータ３は、映像処理部１を経由してメモリ４からテーブル５の内容（初期状態のデータ）を読出して、読出した内容に基づきアイコンのデータを生成して、生成したアイコンのデータを初期状態の表示位置のデータとともにＯＳＤ回路２に出力する。ＯＳＤ回路２は与えられるデータに基づき表示部６の初期状態の位置（図５（Ｃ）参照）にアイコンを表示する（Ｓ４）。
【００４０】
つまり、マイクロコンピュータ３は、各入力端子データ５１について、対応の入力名データ５２と端子形状データ５３とに基づくアイコンの画像データを生成して、対応の初期設定時の表示位置データ５４とともにＯＳＤ回路２に出力するので、ＯＳＤ回路２は、与えられた画像データに基づくアイコンを、共に与えられた表示位置データ５４が示す表示部６の位置に表示する。図５（Ｃ）の画面では、マイクロコンピュータ３によりＯＳＤ回路２を介して、カーソルＣＲも表示される。
【００４１】
ユーザは、表示部６のカーソルＣＲを、カーソルキー２５を用いて移動させ、図５（Ｃ）のアイコンのうち並替えを所望するアイコンにカーソルＣＲを位置させて、その後、並替えキー２６を操作しながらカーソルキー２５を操作することでアイコンをドラッグして移動させることができる。所望の位置にまでアイコンを移動させたときに、操作を解除するまたは決定キー２４を操作することで移動後の位置においてアイコンが表示される。このような、一連の操作信号をマイクロコンピュータ３はリモコン２０から受信する（Ｓ５、Ｓ７）。
【００４２】
このときの表示部６における移動後の表示位置、すなわちカーソルＣＲの位置がＯＳＤ回路２により特定されて、特定された表示位置データがマイクロコンピュータ３に与えられるので、マイクロコンピュータ３は与えられた表示位置データを入力して、入力した表示位置データを用いて、メモリ４のテーブル５の当該アイコンの入力端子のデータ５１に対応の表示位置データ５４を更新する（Ｓ９）。
【００４３】
このような手順を、移動が所望されている各アイコンについて繰返すことにより、図５（Ｃ）の状態から図５（Ｂ）のように実際にＡＶ機器のレイアウトに従う配置でアイコンを表示することができる。
【００４４】
ＡＶ機器のレイアウトに従う入力切替え時の手順は次のようである。
【００４５】
ユーザがリモコン２０の入力切替キー２２を操作すると、マイクロコンピュータ３およびＯＳＤ回路２を介して、表示部６には図５（Ｂ）のようなアイコンの画像が表示中の映像に重畳して表示される。
【００４６】
ユーザは、カーソルＣＲを、カーソル移動キー２５を用いて、入力切替え先としたい入力名のアイコンに位置させて、決定キー２４を押下すると、押下された時点のアイコンの表示位置、すなわちカーソルＣＲの表示位置がＯＳＤ回路２により特定されて、マイクロコンピュータ３に特定した表示位置のデータが与えられる。マイクロコンピュータ３は入力した表示位置データに基づきテーブル５を検索して、対応の入力端子データ５１を読出し、読出した入力端子データ５１に対応の入力端子に入力先が切替えられるよう入力切替部１Ａを制御する。
【００４７】
これにより、ユーザはたとえばデジタルＴＶ受像機３０の右側のＡＶラック１５の上から２番目のＡＶ機器を、新たな入力先に切替えることを所望する場合には、図５（Ｂ）の画面の右側に縦に並んだアイコンのうち上から２番目のアイコンを指定操作するだけでよいから、より確かな入力先の切替えを速やかに行なうことができる。
【００４８】
ここでは入力端子Ｉ１〜Ｉ４の全てにＡＶ機器が接続されていると想定しているが、ＡＶ機器が接続されていない入力端子がある場合には、ＡＶ機器が未接続の入力端子のアイコンと、ＡＶ機器が接続されている入力端子のアイコンとは表示態様を異ならせるようにしてもよい。たとえば、アイコンの表示色を異ならせたり、表示色の濃度を異ならせたりする。このように表示態様を異ならせることで、ユーザは、実際に接続されているＡＶ機器のみを入力切替先の候補とすることができて、入力切替の操作性に優れる。
【００４９】
（他の実施の形態）
また、図４の手順に従う入力切替により、図６のような表示を提供することもできる。
【００５０】
図４のように、リモコン２０の入力切替キー２２が押下される毎に（Ｓ２０でＹＥＳ）、マイクロコンピュータ３は入力切替部１Ａを制御して、前述したように現在の入力先から次位の入力先に順番に切替える。それとともに、次位の入力先の入力名５２と端子形状５３とをテーブル５から読出し、読出した内容に基づくアイコンのデータを生成して、ＯＳＤ回路２にアイコンデータを所定表示位置のデータと与えるので、ＯＳＤ回路２は入力したデータに基づき表示部６の所定位置、たとえば画面の右上にアイコンを表示する（Ｓ２３、Ｓ２５）。このようにした場合の表示例が図６に示される。
【００５１】
図６のアイコンでは、従来の図７のように入力名を示す文字だけでなく端子形状を示す絵柄も表示される。このことにより、ユーザはデジタルＴＶ受像機３０の入力端子のうち、どの形状の入力端子に、入力名で示された種類の映像信号を供給するＡＶ機器を接続すればよいか一目で確認できる。したがって、入力端子と接続されるＡＶ機器の種類の対応付けを知らないユーザであっても、各入力端子に、当該端子に接続されるべき種類のＡＶ機器を簡単かつ確実に接続することができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】この発明の実施の形態に係るシステムの構成図である。
【図２】この発明の実施の形態に係るテーブルの内容例を示す図である。
【図３】この発明の実施の形態に係る手順を示すフローチャートである。
【図４】この発明の他の実施の形態に係る手順を示す処理フローチャートである。
【図５】（Ａ）〜（Ｃ）は、この発明の実施の形態に係るＡＶ機器のレイアウトとアイコンの表示例を説明するための図である。
【図６】この発明の他の実施の形態に係る入力切替時の画面の表示例を示す図である。
【図７】従来の入力切替の表示例を説明する図である。
【符号の説明】
【００５４】
１  映像処理部、２  ＯＳＤ回路、３  マイクロコンピュータ、４  メモリ、５  テーブル、６  表示部、８  リモコン制御部、２０  リモコン、２２  入力切替キー、２４  決定キー、２５  カーソルキー、２６  並替えキー、２７  モード切替キー、３０  デジタルＴＶ受像機、１Ａ  入力切替部、９Ａ，１０Ａ，１１Ａ，１２Ａ  アイコン、Ｉ１，Ｉ２，Ｉ３，Ｉ４  入力端子。
【図１】
2006203356.tif 000003
【図２】
2006203356.tif 000004
【図３】
2006203356.tif 000005
【図４】
2006203356.tif 000006
【図５】
2006203356.tif 000007
【図６】
2006203356.tif 000008
【図７】
2006203356.tif 000009